(57)【要約】【課題】上面に支承が配置され、側面に鋼製ブラケットが取り付けられた橋脚横梁を強化繊維シートによって補強できるようにする。【解決手段】上面に支承２が配置され、側面に鋼製ブラケット３Ｂ及び３Ｄが取り付けられている部分については、略Ｕ字状の第１強化繊維シート５を横梁側面１ｂ，１ｄ及び横梁下面１ｃに貼り付け、支承２や鋼製ブラケット３Ｂ，３Ｄとの干渉が生じない部分については、横梁１の全周に第２強化繊維シート６を巻き付ける。これにより、支承２及び鋼製ブラケット３Ｂ，３Ｄとの干渉を回避した状態で横梁の補強を図ることができる。【選択図】図１
2008069624.tif 000002
【特許請求の範囲】
【請求項１】
上面に支承が配置され、一の側面に一の鋼製ブラケットが取り付けられ、他の側面に他の鋼製ブラケットが取り付けられてなる略矩形状断面の橋脚横梁の補強構造において、
平面視において前記２つの鋼製ブラケットが前記支承を挟み込むような位置関係となるように、それらが配置され、
前記一の側面の一部であって前記一の鋼製ブラケットの下方に位置する一の側面部分、前記横梁の下面の一部であって前記一の側面部分に連続するところの下面部分、及び前記他の側面の一部であって前記他の鋼製ブラケットの下方に位置する他の側面部分に亘ってＵ字状に貼付される第１強化繊維シートと、
前記横梁の上面における前記支承が配置されていない部分、前記一の側面における前記一の鋼製ブラケットが取り付けられていない部分、前記横梁の下面、及び前記他の側面における前記他の鋼製ブラケットが取り付けられていない部分に亘って横梁全周に帯状に巻き付けられる第２強化繊維シートと、
を備えたことを特徴とする橋脚横梁の補強構造。
【請求項２】
上面に支承が配置され、一の側面に一の鋼製ブラケットが取り付けられ、他の側面に他の鋼製ブラケットが取り付けられてなる略矩形状断面の橋脚横梁の補強構造において、
前記一の鋼製ブラケットと前記他の鋼製ブラケットとは、平面視において、前記橋脚横梁の長手方向中心軸を挟むように対称に配置され、
前記支承は、平面視において前記２つの鋼製ブラケットに挟み込まれない位置に配置され、
前記一の側面の一部であって前記一の鋼製ブラケットの下方に位置する一の側面部分、前記横梁の下面の一部であって前記一の側面部分に連続するところの下面部分、及び前記他の側面の一部であって前記他の鋼製ブラケットの下方に位置する他の側面部分に亘ってＵ字状に貼付される第１強化繊維シートと、
前記横梁の上面の一部であって前記支承と前記一の側面との間の上面部分、前記一の側面の一部であって前記上面部分に連続するところの一の側面部分、前記横梁の下面の一部であって前記一の側面部分に連続するところの下面部分、前記他の側面の一部であって前記下面部分に連続するところの他の側面部分、及び、前記横梁の上面の一部であって前記他の側面部分に連続するところの上面部分に亘って貼付される第３強化繊維シートと、
を備えたことを特徴とする橋脚横梁の補強構造。
【請求項３】
前記横梁の上面における前記支承が配置されていない部分、前記一の側面における前記一の鋼製ブラケットが取り付けられていない部分、前記横梁の下面、及び前記他の側面における前記他の鋼製ブラケットが取り付けられていない部分に亘って横梁全周に帯状に巻き付けられる第２強化繊維シート、
を備えたことを特徴とする請求項２に記載の橋脚横梁の補強構造。
【請求項４】
前記第３強化繊維シートの一部であって前記横梁の上面部分に貼り付けられた部分、及び前記横梁の上面の一部であって前記第３強化繊維シートが貼り付けられていない部分の両方に亘って貼付される第４強化繊維シート、
を備えたことを特徴とする請求項２又は３に記載の橋脚横梁の補強構造。
【請求項５】
前記第１強化繊維シートの上端部分を前記横梁の方に付勢する付勢部材、
を備えた請求項１乃至４のいずれか１項に記載の橋脚横梁の補強構造。
【請求項６】
前記付勢部材は、前記第１強化繊維シートの幅方向両外側に突出するように配置されると共に、該第１強化繊維シートの上端部分及び横梁表面に亘って貼付された第５強化繊維シートである、
ことを特徴とする請求項５に記載の橋脚横梁の補強構造。
【請求項７】
前記付勢部材は鋼製部材であって固定部材を介して前記横梁又は前記鋼製ブラケットに固定された、
ことを特徴とする請求項５に記載の橋脚横梁の補強構造。
【請求項８】
前記第１強化繊維シートの上端部分を前記横梁の方に付勢する付勢部材、を備え、
該付勢部材は、前記第１強化繊維シートの表面に当接すると共に該第１強化繊維シートの幅方向両外側に突出するように配置され、
該突出した部分は、前記第２強化繊維シートと前記横梁との間に挟持された状態で固定される、
ことを特徴とする請求項１，３及び４のいずれか１項に記載の橋脚横梁の補強構造。
【請求項９】
前記付勢部材は鋼製部材又は第５強化繊維シートである、
ことを特徴とする請求項８に記載の橋脚横梁の補強構造。
【請求項１０】
前記第１強化繊維シートの上端部分に鋼製固定部材が取り付けられ、
前記第１強化繊維シートの上端部分は該鋼製固定部材を介して前記鋼製ブラケットに固定された、
ことを特徴とする請求項１乃至４のいずれか１項に記載の橋脚横梁の補強構造。
【請求項１１】
一の側面に一の鋼製ブラケットが取り付けられ、他の側面に他の鋼製ブラケットが取り付けられてなる略矩形状断面の橋脚横梁の補強構造において、
前記一の鋼製ブラケットと前記他の鋼製ブラケットとは、平面視において、前記橋脚横梁の長手方向中心軸を挟むように対称に配置され、
前記一の側面の一部であって前記一の鋼製ブラケットの下方に位置する一の側面部分、前記横梁の下面の一部であって前記一の側面部分に連続するところの下面部分、及び前記他の側面の一部であって前記他の鋼製ブラケットの下方に位置する他の側面部分に亘って第１強化繊維シートが略Ｕ字状に貼付され、
該第１強化繊維シートの上端部分は、板状部材を挟み込んだ状態で折り曲げられ、
該折り曲げ部には、前記第１強化繊維シート及び板状部材を貫通する貫通孔が形成され、
該折り曲げ部は、前記貫通孔に挿通された固定部材を介して前記橋脚横梁に固定された、
ことを特徴とする橋脚横梁の補強構造。
【請求項１２】
前記鋼製ブラケットは、前記橋脚横梁の側面に沿って配置された平板状の部材であり、
該平板状の鋼製ブラケットと、該鋼製ブラケットの下方に並設されることとなる前記折り曲げ部と、に亘って第１押え部材を配置し、
これらの鋼製ブラケット及び折り曲げ部が前記橋脚横梁の側面と前記第１押え部材との間に挟持されるように、該第１押え部材を第１押え用固定部材にて前記側面に固定した、
ことを特徴とする請求項１１に記載の橋脚横梁の補強構造。
【請求項１３】
前記鋼製ブラケットは、略水平な板状部材をその下端部分に有し、
該板状部材の下面及び前記折り曲げ部の表面に沿うように配置された、断面が略Ｌ字形の第２押え部材を有し、
該第２押え部材が前記橋脚横梁の側面との間に前記折り曲げ部を挟持すると共に前記板状部材に固定されるように、該第２押え部材を第２押え用固定部材にて前記側面及び前記板状部材に固定した、
ことを特徴とする請求項１１に記載の橋脚横梁の補強構造。
【請求項１４】
略水平な板状部材を下端部分に有する一の鋼製ブラケットが前記一の側面に取り付けられ、略水平な板状部材を下端部分に有する他の鋼製ブラケットが前記他の側面に取り付けられてなる略矩形状断面の橋脚横梁の補強構造において、
前記一の鋼製ブラケットと前記他の鋼製ブラケットとは、平面視において、前記橋脚横梁の長手方向中心軸を挟むように対称に配置され、
前記一の鋼製ブラケットの板状部材の下面、前記一の側面の一部であって前記一の鋼製ブラケットの下方に位置する一の側面部分、前記横梁の下面の一部であって前記一の側面部分に連続するところの下面部分、前記他の側面の一部であって前記他の鋼製ブラケットの下方に位置する他の側面部分、及び前記他の鋼製ブラケットの板状部材の下面に亘って第６強化繊維シートが貼付され、
前記一の鋼製ブラケットの板状部材の下面及び前記一の側面との間に前記第６強化繊維シートを挟持するように、断面が略Ｌ字形の第２押え部材を配置し、
前記他の鋼製ブラケットの板状部材の下面及び前記他の側面との間に前記第６強化繊維シートを挟持するように、断面が略Ｌ字形の第２押え部材を配置し、
各第２押え部材を第２押え用固定部材によって各板状部材及び各側面に固定した、
ことを特徴とする橋脚横梁の補強構造。
【請求項１５】
一の側面に一の鋼製ブラケットが取り付けられ、他の側面に他の鋼製ブラケットが取り付けられてなる略矩形状断面の橋脚横梁を補強する方法において、
２枚の強化繊維シート片の上端部分を、板状部材を挟み込んだ状態に折り曲げる工程と、
その折り曲げ部以外に樹脂が含浸されないような状態で、該折り曲げ部に樹脂を含浸させる工程と、
該折り曲げ部にて前記板状部材を貫通する貫通孔を穿設する工程と、
前記橋脚横梁の側面であって各鋼製ブラケットの下方に、前記貫通孔を挿通させた固定部材により各強化繊維シート片を固定する工程と、
それら２つの強化繊維シート片が前記橋脚横梁の下面に回り込んで重なり合った状態で、それらのシート片に樹脂を含浸させる工程と、
を備えたことを特徴とする、橋脚横梁を補強する方法。
【発明の詳細な説明】
【技術分野】
【０００１】
本発明は、道路や鉄道等の橋脚横梁の補強構造に係り、詳しくは、支承やブラケット等の突起物がその表面に配置された橋脚横梁を補強するのに好適な橋脚横梁の補強構造に関する。
【背景技術】
【０００２】
近年、既設の道路や鉄道等の橋脚横梁をアラミド繊維シート等により補強する技術については種々のものが提案されている（例えば、特許文献１参照。）。
【０００３】
図５は、橋脚横梁の補強構造の従来例を説明するための側面図である。図示のものでは、橋脚横梁１０１の上面１０１ａには、支承１０２や落橋防止装置１０３等（以下、“干渉物”と称する）が配置されているので、横梁１０１の全周に強化繊維シートを巻き付けることは出来ない。そこで、図６に詳示するように、それらの干渉物を避けるように強化繊維シート１０５を横梁側面１０１ｂ，１０１ｄ及び横梁下面１０１ｃに略Ｕ字状に貼り付けることとし（以下、この強化繊維シート１０５を“Ｕ字型繊維シート”と称する）、該干渉物と干渉しない部分においては、図７に詳示するように、該Ｕ字型繊維シート１０５の上から別の強化繊維シート１０６を巻き付けるようにしている。
【特許文献１】特開平２００４−６０２１３号公報
【発明の開示】
【発明が解決しようとする課題】
【０００４】
しかしながら、橋脚横梁においては、側面にも鋼製ブラケットなどの干渉物が取り付けられている場合もあり、そのような横梁においては上述の補強構造は活用できないという問題があった。
【０００５】
本発明は、上述のような問題を解決する橋脚横梁の補強構造を提供することを目的とするものである。
【課題を解決するための手段】
【０００６】
請求項１に係る発明は、図１乃至図３に例示するものであって、上面（１ａ）に支承（２）が配置され、一の側面（１ｂ）に一の鋼製ブラケット（３Ｂ）が取り付けられ、他の側面（１ｄ）に他の鋼製ブラケット（３Ｄ）が取り付けられてなる略矩形状断面の橋脚横梁（１）の補強構造において、
平面視において前記２つの鋼製ブラケット（３Ｂ，３Ｄ）が前記支承（２）を挟み込むような位置関係となるように、それらが配置され、
前記一の側面（１ｂ）の一部であって前記一の鋼製ブラケット（３Ｂ）の下方に位置する一の側面部分、前記横梁（１）の下面（１ｃ）の一部であって前記一の側面部分に連続するところの下面部分、及び前記他の側面（１ｄ）の一部であって前記他の鋼製ブラケット（３Ｄ）の下方に位置する他の側面部分に亘ってＵ字状に貼付される第１強化繊維シート（５）と、
前記横梁（１）の上面（１ａ）における前記支承（２）が配置されていない部分、前記一の側面（１ｂ）における前記一の鋼製ブラケット（３Ｂ）が取り付けられていない部分、前記横梁（１）の下面（１ｃ）、及び前記他の側面（１ｄ）における前記他の鋼製ブラケット（３Ｄ）が取り付けられていない部分に亘って横梁全周に帯状に巻き付けられる第２強化繊維シート（６）と、を備えたことを特徴とする。
【０００７】
請求項２に係る発明は、図４に例示するものであって、上面（１ａ）に支承（２）が配置され、一の側面（１ｂ）に一の鋼製ブラケット（３Ｂ）が取り付けられ、他の側面（１ｄ）に他の鋼製ブラケット（３Ｄ）が取り付けられてなる略矩形状断面の橋脚横梁（１）の補強構造において、
前記一の鋼製ブラケット（３Ｂ）と前記他の鋼製ブラケット（３Ｄ）とは、平面視において、前記橋脚横梁（１）の長手方向中心軸（Ｍ）を挟むように対称に配置され、
前記支承（２）は、平面視において前記２つの鋼製ブラケット（３Ｂ，３Ｄ）に挟み込まれない位置に配置され、
前記一の側面（１ｂ）の一部であって前記一の鋼製ブラケット（３Ｂ）の下方に位置する一の側面部分、前記横梁（１）の下面（１ｃ）の一部であって前記一の側面部分に連続するところの下面部分、及び前記他の側面（１ｄ）の一部であって前記他の鋼製ブラケット（３Ｄ）の下方に位置する他の側面部分に亘ってＵ字状に貼付される第１強化繊維シート（５）と、
前記横梁（１）の上面（１ａ）の一部であって前記支承（２）と前記一の側面（１ｂ）との間の上面部分（１ａ１）、前記一の側面（１ｂ）の一部であって前記上面部分（１ａ１）に連続するところの一の側面部分、前記横梁（１）の下面（１ｃ）の一部であって前記一の側面部分に連続するところの下面部分、前記他の側面（１ｄ）の一部であって前記下面部分に連続するところの他の側面部分、及び、前記横梁（１）の上面（１ａ）の一部であって前記他の側面部分に連続するところの上面部分（１ａ２）に亘って貼付される第３強化繊維シート（８）と、を備えたことを特徴とする。
【０００８】
請求項３に係る発明は、請求項２に係る発明において、前記横梁（１）の上面（１ａ）における前記支承（２）が配置されていない部分、前記一の側面（１ｂ）における前記一の鋼製ブラケット（３Ｂ）が取り付けられていない部分、前記横梁（１）の下面（１ｃ）、及び前記他の側面（１ｄ）における前記他の鋼製ブラケット（３Ｄ）が取り付けられていない部分に亘って横梁（１）全周に帯状に巻き付けられる第２強化繊維シート（６）、を備えたことを特徴とする。
【０００９】
請求項４に係る発明は、請求項２又は３に係る発明において、前記第３強化繊維シート（８）の一部であって前記横梁（１）の上面部分（１ａ１，１ａ２）に貼り付けられた部分、及び前記横梁（１）の上面（１ａ）の一部であって前記第３強化繊維シート（８）が貼り付けられていない部分の両方に亘って貼付される第４強化繊維シート（９）、を備えたことを特徴とする。
【００１０】
請求項５に係る発明は、請求項１乃至４のいずれか１項に記載の発明において、前記第１強化繊維シート（５）の上端部分を前記横梁（１）の方に付勢する付勢部材（図３及び図４の符号７参照）、を備えたことを特徴とする。
【００１１】
請求項６に係る発明は、請求項５に記載の発明において、前記付勢部材が、前記第１強化繊維シート（５）の幅方向両外側に突出するように配置されると共に、該第１強化繊維シート（５）の上端部分及び横梁表面（１ｂ，１ｃ）に亘って貼付された第５強化繊維シート（不図示）であることを特徴とする。
【００１２】
請求項７に係る発明は、請求項５に係る発明において、前記付勢部材（７）は鋼製部材であって固定部材（不図示）を介して前記横梁（１）又は前記鋼製ブラケット（３Ｂ，３Ｄ）に固定されたことを特徴とする。
【００１３】
請求項８に係る発明は、請求項１，３及び４のいずれか１項に記載の発明において、前記第１強化繊維シート（５）の上端部分を前記横梁（１）の方に付勢する付勢部材（７）、
を備え、
該付勢部材（７）は、前記第１強化繊維シート（５）の表面に当接すると共に該第１強化繊維シート（５）の幅方向両外側に突出するように配置され、
該突出した部分は、前記第２強化繊維シート（６）と前記横梁（１）との間に挟持された状態で固定されることを特徴とする。
【００１４】
請求項９に係る発明は、請求項８に記載の発明において、前記付勢部材は鋼製部材又は第５強化繊維シートであることを特徴とする。
【００１５】
請求項１０に係る発明は、請求項１乃至４のいずれか１項に記載の発明において、前記第１強化繊維シート（５）の上端部分に鋼製固定部材（不図示）が取り付けられ、
前記第１強化繊維シート（５）の上端部分は該鋼製固定部材（不図示）を介して前記鋼製ブラケット（３Ｂ，３Ｄ）に固定されたことを特徴とする。
【００１６】
請求項１１に係る発明は、図８(b) に例示するものであって、一の側面（１ｂ）に一の鋼製ブラケット（１３Ｂ）が取り付けられ、他の側面（１ｄ）に他の鋼製ブラケット（１３Ｄ）が取り付けられてなる略矩形状断面の橋脚横梁（１）の補強構造において、
前記一の鋼製ブラケット（１３Ｂ）と前記他の鋼製ブラケット（１３Ｄ）とは、平面視において、前記橋脚横梁（１）の長手方向中心軸（図１等の符号Ｍ参照）を挟むように対称に配置され、
前記一の側面（１ｂ）の一部であって前記一の鋼製ブラケット（１３Ｂ）の下方に位置する一の側面部分、前記横梁の下面（１ｃ）の一部であって前記一の側面部分に連続するところの下面部分、及び前記他の側面（１ｄ）の一部であって前記他の鋼製ブラケット（１３Ｄ）の下方に位置する他の側面部分に亘って第１強化繊維シート（１５）が略Ｕ字状に貼付され、
該第１強化繊維シート（１５）の上端部分は、板状部材（１８）を挟み込んだ状態で折り曲げられ、
該折り曲げ部（１５ａ）には、前記第１強化繊維シート（１５）及び板状部材（１８）を貫通する貫通孔（図９の符号１５ｃ参照）が形成され、
該折り曲げ部（１５ａ）は、前記貫通孔（１５ｃ）に挿通された固定部材（１６）を介して前記橋脚横梁（１）に固定されたことを特徴とする。
【００１７】
請求項１２に係る発明は、請求項１１に係る発明において、前記鋼製ブラケット（１３Ｂ，１３Ｄ）は、前記橋脚横梁（１）の側面（１ｂ，１ｄ）に沿って配置された平板状の部材であり、
該平板状の鋼製ブラケット（１３Ｂ，１３Ｄ）と、該鋼製ブラケット（１３Ｂ，１３Ｄ）の下方に並設されることとなる前記折り曲げ部（１５ａ）と、に亘って第１押え部材（図１０(b) の符号２０参照）を配置し、
これらの鋼製ブラケット（１３Ｂ，１３Ｄ）及び折り曲げ部（１５ａ）が前記橋脚横梁（１）の側面（１ｂ，１ｄ）と前記第１押え部材（２０）との間に挟持されるように、該第１押え部材（２０）を第１押え用固定部材（１６，１７，２１，２２）にて前記側面（１ｂ，１ｄ）に固定したことを特徴とする。
【００１８】
請求項１３に係る発明は、請求項１１に係る発明において、前記鋼製ブラケットは、略水平な板状部材（図１２の符号３２参照）をその下端部分に有し、
該板状部材（３２）の下面及び前記折り曲げ部（１５ａ）の表面に沿うように配置された、断面が略Ｌ字形の第２押え部材（３４）を有し、
該第２押え部材（３４）が前記橋脚横梁（１）の側面（１ｂ，１ｄ）との間に前記折り曲げ部（１５ａ）を挟持すると共に前記板状部材（３２）に固定されるように、該第２押え部材（３４）を第２押え用固定部材（３６，３７，３８，３９）にて前記側面（１ｂ，１ｄ）及び前記板状部材（３２）に固定したことを特徴とする。
【００１９】
請求項１４に係る発明は、略水平な板状部材（図１３の符号３２参照）を下端部分に有する一の鋼製ブラケット（３Ｂ）が前記一の側面（１ｂ）に取り付けられ、略水平な板状部材（図１１の符号３２参照）を下端部分に有する他の鋼製ブラケット（３Ｄ）が前記他の側面（１ｄ）に取り付けられてなる略矩形状断面の橋脚横梁（１）の補強構造において、
前記一の鋼製ブラケット（３Ｂ）と前記他の鋼製ブラケット（３Ｄ）とは、平面視において、前記橋脚横梁（１）の長手方向中心軸（Ｍ）を挟むように対称に配置され、
前記一の鋼製ブラケット（３Ｂ）の板状部材（３２）の下面、前記一の側面（１ｂ）の一部であって前記一の鋼製ブラケット（３Ｂ）の下方に位置する一の側面部分、前記横梁の下面（１ｃ）の一部であって前記一の側面部分に連続するところの下面部分、前記他の側面（１ｄ）の一部であって前記他の鋼製ブラケット（３Ｄ）の下方に位置する他の側面部分、及び前記他の鋼製ブラケット（３Ｄ）の板状部材の下面（１ｃ）に亘って第６強化繊維シート（図１３の符号３５参照）が貼付され、
前記一の鋼製ブラケット（３Ｂ）の板状部材（３２）の下面及び前記一の側面（１ｂ）との間に前記第６強化繊維シート（３５）を挟持するように、断面が略Ｌ字形の第２押え部材（３４）を配置し、
前記他の鋼製ブラケット（３Ｄ）の板状部材（３２）の下面及び前記他の側面（１ｄ）との間に前記第６強化繊維シート（３５）を挟持するように、断面が略Ｌ字形の第２押え部材（３４）を配置し、
各第２押え部材（３４）を第２押え用固定部材（３６，３７，３８，３９）によって各板状部材（３２）及び各側面（１ｂ，１ｄ）に固定したことを特徴とする。
【００２０】
請求項１５に係る発明は、図８(a) に例示するものであって、一の側面（１ｂ）に一の鋼製ブラケット（１３Ｂ）が取り付けられ、他の側面（１ｄ）に他の鋼製ブラケット（１３Ｄ）が取り付けられてなる略矩形状断面の橋脚横梁（１）を補強する方法において、
２枚の強化繊維シート片（１５Ｂ，１５Ｄ）の上端部分（図９の符号１５ａ参照）を、板状部材（１８）を挟み込んだ状態に折り曲げる工程と、
その折り曲げ部（１５ａ）以外に樹脂が含浸されないような状態で、該折り曲げ部（１５ａ）に樹脂を含浸させる工程と、
該折り曲げ部（１５ａ）にて前記板状部材（１８）を貫通する貫通孔（１５ｃ）を穿設する工程と、
前記橋脚横梁（１）の側面（１ｂ，１ｄ）であって各鋼製ブラケット（１３Ｂ，１３Ｄ）の下方に、前記貫通孔（１５ｃ）を挿通させた固定部材（１６）により各強化繊維シート片（１５Ｂ，１５Ｄ）を固定する工程と、
それら２つの強化繊維シート片（１５Ｂ，１５Ｄ）が前記橋脚横梁（１）の下面（１ｃ）に回り込んで重なり合った状態で、それらのシート片（１５Ｂ，１５Ｄ）に樹脂を含浸させる工程と、を備えたことを特徴とする。
【００２１】
なお、括弧内の番号などは、図面における対応する要素を示す便宜的なものであり、従って、本記述は図面上の記載に限定拘束されるものではない。
【発明の効果】
【００２２】
請求項１乃至３に係る発明によれば、上面に支承が配置され、側面に鋼製ブラケットが取り付けられているような橋脚横梁であっても、強化繊維シートを貼り付けることによる十分な補強を行うことができる。
【００２３】
請求項４に係る発明によれば、第３強化繊維シートの剥がれを抑制することができる。
【００２４】
請求項５乃至１０に係る発明によれば、第１強化繊維シートの剥がれを抑制することができる。
【００２５】
請求項１１乃至１４に係る発明によれば、側面に鋼製ブラケットが取り付けられているような橋脚横梁であっても、第１強化繊維シートを貼り付けることによって十分な補強を行なうことができる。また、該第１強化繊維シートの上端部分は、前記板状部材を配置した上で固定部材により橋脚横梁に固定されているので、該部分の横梁側面からの剥がれを防止することができる。
【００２６】
請求項１５に係る発明によれば、強化繊維シート片の橋脚横梁への貼り付けは、各シート片の上端部（折り曲げ部）を橋脚横梁に固定部材で固定してから行なうため、各シート片の位置決めや保持が容易となり、そのような固定部材による固定を行なわない場合に比べ、後工程の作業（例えば、強化繊維シート片の未樹脂含浸部分に樹脂を含浸させる作業）を比較的簡単に行なうことができる。また、この方法によれば、強化繊維シート片の貼り付け長さ調整はその重なり部にて行なうことができ、それらのシート片をぴったりと橋脚横梁に貼付することができる。
【発明を実施するための最良の形態】
【００２７】
以下、図１乃至図４、及び図８乃至図１３に沿って、本発明を実施するための最良の形態について説明する。ここで、図１は、本発明に係る橋脚横梁の補強構造の一例を示す斜視図であり、図２は、その橋脚横梁の全体構成の一例を示す側面図である。また、図３は、本発明に係る橋脚横梁の補強構造の他の例を示す斜視図であり、図４は、本発明に係る橋脚横梁の補強構造のさらに他の例を示す斜視図である。さらに、図８(a) は、本発明に係る橋脚横梁の補強方法の一例であって強化繊維シートを貼り付ける前の状態を示す断面図であり、図８(b) は、該強化繊維シートを貼り付けた後の状態を示す断面図である。また、図９は、第１強化繊維シートの構造の一例を示す断面図であり、図１０(a)
は、本発明に係る橋脚横梁の補強方法の一例であって第１押え部材を配置する前の状態を示す断面図であり、図１０(b) は、第１押え部材を配置した後の状態を示す断面図である。さらに、図１１は、本発明に係る橋脚横梁の補強構造の一例を示す断面図であり、図１２は、鋼製ブラケットへ強化繊維シートが固定される構造の一例を示す詳細断面図であり、図１３は、鋼製ブラケットへ強化繊維シートが固定される構造の他の例を示す詳細断面図である。
（第１の形態）
【００２８】
本発明が適用される橋脚横梁は、略矩形状断面であって、図２に例示するように、その上面１ａには支承２が配置され、一の側面１ｂには鋼製ブラケット（以下、必要に応じて“一の鋼製ブラケット”と称する）３Ｂが取り付けられ、他の側面（図１の符号１ｄ参照）には別の鋼製ブラケット（以下、必要に応じて“他の鋼製ブラケット”と称する）３Ｄが取り付けられている。そして、平面視において前記２つの鋼製ブラケット３Ｂ，３Ｄが前記支承２を挟み込むような位置関係となるように、それら（２つの鋼製ブラケット３Ｂ，３Ｄ及び支承２）が配置されている。なお、支承２は横梁１の長手方向中心軸Ｍに沿って複数配置されており、各支承２を挟み込むように鋼製ブラケット３Ｂ，３Ｄがそれぞれに配置されている。また、図２中の符号４は、橋梁上部工を示す。
【００２９】
図１に示される橋脚横梁の補強構造は、
・  符号５で示す第１強化繊維シートと、
・  符号６で示す第２強化繊維シートと、
を備えている。このうち、第１強化繊維シート５は、
・  前記一の側面１ｂの一部であって前記一の鋼製ブラケット３Ｂの下方に位置する一の側面部分、
・  前記横梁１の下面１ｃの一部であって前記一の側面部分に連続するところの下面部分、
・  前記他の側面１ｄの一部であって前記他の鋼製ブラケット３Ｄの下方に位置する他の側面部分
に亘ってＵ字状に貼付されている。また、第２強化繊維シート６は、
・  前記横梁の上面１ａにおける前記支承２が配置されていない部分、
・  前記一の側面１ｂにおける前記一の鋼製ブラケット３Ｂが取り付けられていない部分、
・  前記横梁の下面１ｃ、
・  前記他の側面１ｄにおける前記他の鋼製ブラケット３Ｄが取り付けられていない部分
に亘って横梁全周に帯状に巻き付けられている。本発明によれば、上面に支承２が配置され、側面に鋼製ブラケット３Ｂ，３Ｄが取り付けられているような橋脚横梁１であっても、強化繊維シート５，６を貼り付けることによる十分な補強を行うことができる。
【００３０】
ところで、このような補強構造においては、前記第１強化繊維シート５の上端部分（つまり、一の鋼製ブラケット３Ｂに近接する端縁部分、及び他の鋼製ブラケット３Ｄに近接する端縁部分の少なくとも一方、又は両方）の横梁側面からの剥がれを抑制するような構造にしておくと良い。そのための方法としては、前記第１強化繊維シート５の上端部分を前記横梁の方（つまり、横梁側面の方向）に付勢する付勢部材（図３の符号７参照）を配置すると良い。この場合、第１強化繊維シート５の上端部分を付勢するように付勢部材７を何らかの方法で支持しておく必要があるが、その方法としては、
・  アンカー部材やナット等のような固定部材を介して前記付勢部材７を前記横梁１や前記鋼製ブラケット３Ｂ，３Ｄ等に固定する方法
・  該付勢部材を前記第１強化繊維シート５の表面に当接すると共に該シート５の幅方向両外側に突出するように配置しておき、該突出した部分を、前記第２強化繊維シート６と前記横梁１との間に挟持した状態で固定する方法
などを挙げることができる。この付勢部材としては鋼製の部材を挙げることができるが、後者の方法で固定する場合は強化繊維シート（第５強化繊維シート）を用いても良い。また、この第５強化繊維シートを後者の方法で固定するのではなく、第１強化繊維シート５の上端部分及び横梁表面に亘って貼付するようにしても良い。
【００３１】
また、上述のような付勢部材を用いるのではなく、第１強化繊維シート５の上端部分に、形鋼などの鋼製固定部材（不図示）を取り付けておき、該鋼製固定部材を介して該上端部分を前記鋼製ブラケット３Ｂ，３Ｄに固定するようにしても良い。
（第２の形態）
【００３２】
一方、図４に例示した橋脚横梁は、断面が略矩形状であって、上面には支承２が配置され、側面１ｂ、１ｄには一の鋼製ブラケット３Ｂ及び他の鋼製ブラケット３Ｄがそれぞれ取り付けられているが、図１乃至図３と異なり、平面視において前記２つの鋼製ブラケット３Ｂ，３Ｄが前記支承２を挟み込むような位置関係となるようにはなっていない。前記一の鋼製ブラケット３Ｂと前記他の鋼製ブラケット３Ｄとは、平面視において、前記橋脚横梁の長手方向中心軸Ｍを挟むように対称に配置され、前記支承２は、平面視において前記２つの鋼製ブラケット３Ｂ，３Ｄに挟み込まれない位置に配置されている。
【００３３】
そして、図４に示される橋脚横梁の補強構造は、少なくとも、
・  符号５で示す第１強化繊維シートと、
・  符号８で示す第３強化繊維シートと、
を備えている。なお、図４では、第２強化繊維シート６も示されているが、該第２強化繊維シート６を有さない構造のものも権利範囲に含める趣旨である。
【００３４】
ここで、第１強化繊維シート５及び第２強化繊維シート６は、第１の形態にて説明したと同様のものである。
【００３５】
本発明によれば、上面に支承２が配置され、側面に鋼製ブラケット３Ｂ，３Ｄが取り付けられているような橋脚横梁１であっても、強化繊維シート５，６，８を貼り付けることによる十分な補強を行うことができる。
【００３６】
なお、第１強化繊維シート５の上端部分については、第１の形態のものと同様の方法で剥がれ抑制対策を行っても良い。すなわち、
・  該上端部分を付勢部材７によって付勢するようにしても、
・  鋼製固定部材を介して鋼製ブラケットに固定するようにしても、
良い。また、付勢部材７の支持は、
・  アンカー部材やナット等のような固定部材を介して前記付勢部材７を前記横梁１や前記鋼製ブラケット３Ｂ，３Ｄ等に固定する方法
・  該付勢部材を前記第１強化繊維シート５の表面に当接すると共に該シート５の幅方向両外側に突出するように配置しておき、該突出した部分を、前記第２強化繊維シート６と前記横梁１との間に挟持した状態で固定する方法
などにより行えば良い。
【００３７】
また、図４に示す補強構造のものでは、支承２の幅寸法Ｄ１が横梁１の幅寸法Ｄ２よりも小さく、該支承２の両側に横梁１の上面１ａの一部（支承２と前記一の側面１ｂとの間の上面部分１ａ１、及び支承２と前記他の側面１ｄとの間の上面部分１ａ２である。）が露出されるように（言い換えれば、支承２にて覆われないように）構成されている。そして、第３強化繊維シート８は、
・  一方の上面部分１ａ１、
・  前記一の側面１ｂの一部であって前記上面部分１ａ１に連続するところの一の側面部分、
・  前記横梁の下面１ｃの一部であって前記一の側面部分に連続するところの下面部分、
・  前記他の側面１ｄの一部であって前記下面部分に連続するところの他の側面部分、
・  他方の上面部分１ａ２、
に亘って貼付されている。
【００３８】
この場合、前記第３強化繊維シート８の一部（具体的には、前記横梁の上面部分１ａ１，１ａ２に貼り付けられた部分）、及び前記横梁の上面１ａの一部（しかも、前記第３強化繊維シート８が貼り付けられていない部分）の両方に亘って第４強化繊維シート９を貼付するようにしても良い。これにより、第３強化繊維シート８の剥がれを抑制することができる。なお、図示の第４強化繊維シート９は、横梁の長手方向全体に亘って配置されているが、もちろんこれに限られるものではなく、図示のものよりも短くても良い。
【００３９】
上述の各強化繊維シート５，６，８は、約９０度に折り曲げられて配置されるが、その折り曲げ部分を予め部分的にプレキャストシートに形成しておくと良い。例えば、上述の第３強化繊維シート８の端部（９０度だけ内側に折り曲げられた部分）をプレキャストシートとしておくと、横梁上方に十分な作業空間を確保できない場合であっても比較的簡単に作業を行うことができる。
（第３の形態）
【００４０】
次に、図８乃至図１０に沿って、本発明の第３の形態について説明する。
【００４１】
この第３の形態が適用される橋脚横梁は、図８(a) に示すように、略矩形状断面であって、一の側面１ｂには鋼製ブラケット（以下、必要に応じて“一の鋼製ブラケット”と称する）１３Ｂが取り付けられ、他の側面１ｄには別の鋼製ブラケット（以下、必要に応じて“他の鋼製ブラケット”と称する）１３Ｄが取り付けられている。この一の鋼製ブラケット１３Ｂと他の鋼製ブラケット１３Ｄとは、平面視において、前記橋脚横梁の長手方向中心軸（図１の符号Ｍ参照）を挟むように対称に配置されている。
【００４２】
本形態に係る橋脚横梁の補強構造は、図８(b) に符号１５で示す第１強化繊維シートを備えている。この第１強化繊維シート１５は、
・  前記一の側面１ｂの一部であって前記一の鋼製ブラケット１３Ｂの下方に位置する一の側面部分、
・  前記横梁１の下面１ｃの一部であって前記一の側面部分に連続するところの下面部分、
・  前記他の側面１ｄの一部であって前記他の鋼製ブラケット１３Ｄの下方に位置する他の側面部分
に亘って略Ｕ字状に貼付されている。この第１強化繊維シート１５の上端部分（図９に符号１５ａで示す部分であって、一の鋼製ブラケット１３Ｂに近接する端縁部分、及び他の鋼製ブラケット１３Ｄに近接する端縁部分の少なくとも一方、又は両方）は、板状部材１８を挟み込んだ状態で折り曲げられており、該折り曲げ部１５ａには、前記第１強化繊維シート１５及び板状部材１８を貫通する貫通孔１５ｃが形成されている。そして、この折り曲げ部１５ａは、前記貫通孔１５ｃに挿通された固定部材（例えば、符号１６で示すボルトや、符号１７で示すナット等）を介して橋脚横梁１に固定されている。この折り曲げ部１５ａ等には樹脂が含浸されている（詳細は後述する）。
【００４３】
この構造によれば、側面に鋼製ブラケット１３Ｂ，１３Ｄが取り付けられているような橋脚横梁１であっても、第１強化繊維シート１５を貼り付けることによって十分な補強を行なうことができる。また、該第１強化繊維シート１５の上端部分は、前記板状部材１８を上述のように配置した上で固定部材１６，１７により橋脚横梁１に固定されているので、該部分の横梁側面からの剥がれを防止することができる。
【００４４】
ところで、橋脚横梁１の補強のためには、上述の第１強化繊維シート１５が、一方のボルト１６から他方のボルト１６までの部分（符号Ｌ１，Ｌ２，Ｌ３，Ｌ４，Ｌ５に示す部分であって、横梁表面部分）にぴったりと貼り付けることが必要である。そのための一つの方法としては、前記第１強化繊維シート１５を、上部に前記折り曲げ部１５ａを有する２つの強化繊維シート片１５Ｂ，１５Ｄに分割しておき（図８(a) 参照）、各強化繊維シート片１５Ｂ，１５Ｄの折り曲げ部１５ａをボルト１６にて橋脚横梁１の側面に固定し（図８(a) 参照）、それら２つの強化繊維シート片１５Ｂ，１５Ｄを橋脚横梁１の下面１ｃにて重ね合わせるようにして貼付すると良い（図８(b)
参照）。この方法によれば、強化繊維シート片１５Ｂ，１５Ｄの橋脚横梁１への貼り付けは、各シート片１５Ｂ，１５Ｄの上端部（折り曲げ部１５ａ）を橋脚横梁１にボルト１６で固定してから行なうため、各シート片１５Ｂ，１５Ｄの位置決めや保持が容易となり、そのようなボルト１６による固定を行なわない場合に比べ、後工程の作業（例えば、強化繊維シート片１５Ｂ，１５Ｄの符号１５ｂの部分に樹脂を含浸させる作業）を比較的簡単に行なうことができる。また、この方法によれば、強化繊維シート片１５Ｂ，１５Ｄの貼り付け長さ調整はその重なり部にて行なうことができ、それらのシート片１５Ｂ，１５Ｄをぴったりと橋脚横梁１に貼付することができる。
【００４５】
しかしながら、第１強化繊維シート１５は、上述の強化繊維シート片１５Ｂ，１５Ｄに２分割しただけのものに限定されるものでは無く、必要に応じて３つ以上に分割するようにしても良い。また、上述の貼り付け長さ調整を別の方法（つまり、２つの強化繊維シート片１５Ｂ，１５Ｄの重なり代を調整するという方法以外の方法）で行なうようにした場合には、第１強化繊維シート１５を分割せずに一体物（つまり、両端部にそれぞれ折り曲げ部１５ａを形成した構造のもの）にしても良い。
【００４６】
ところで、２つの強化繊維シート片１５Ｂ，１５Ｄに分割された前記第１強化繊維シート１５による橋脚横梁１の補強方法は以下の手順で行なうと良い。すなわち、
(1)   ２枚の強化繊維シート片１５Ｂ，１５Ｄの上端部分を、前記板状部材１８を挟み込んだ状態に折り曲げる工程
(2)   その折り曲げ部以外１５ｂに樹脂が含浸されないような状態で、該折り曲げ部１５ａに樹脂を含浸させる工程
(3)   樹脂が固まった段階で、前記板状部材１８を貫通する貫通孔１５ｃを該折り曲げ部１５ａに穿設する工程
(4)   図８(a) に示すように、前記貫通孔１５ｃを挿通された固定部材１６により、前記橋脚横梁１の側面１ｂ，１ｄであって各鋼製ブラケット１３Ｂ，１３Ｄの下方に各強化繊維シート片１５Ｂ，１５Ｄを固定する工程
(5)   図８(b) に示すように、それら２つの強化繊維シート片１５Ｂ，１５Ｄが前記橋脚横梁１の下面１ｃに回り込んで重なり合った状態で、それらのシート片１５Ｂ，１５Ｄに樹脂を含浸させる工程
【００４７】
ところで、図示の鋼製ブラケット１３Ｂ，１３Ｄは、前記橋脚横梁の側面１ｂ、１ｄに沿って配置された平板状の部材であって、上述した折り曲げ部１５ａはこの平板状鋼製ブラケット１３Ｂ，１３Ｄの下方に１つずつ並設されることとなる（図１０(a) 参照）。そこで、これらの鋼製ブラケット１３Ｂ，１３Ｄと各折り曲げ部１５ａとに亘って第１押え部材２０をそれぞれ配置し、これらの鋼製ブラケット１３Ｂ，１３Ｄと各折り曲げ部１５ａとが前記橋脚横梁１の側面１ｂ，１ｄと前記第１押え部材２０との間に挟持されるように、該第１押え部材２０を第１押え用固定部材１６，１７，２１，２２にて固定すると良い。なお、図１０(a)
(b) に示す符号２１は、鋼製ブラケット側に取り付けられたボルトを示し、符号２２は該ボルト２１に螺合されるナットを示し、符号１６は、折り曲げ部１５aの貫通孔１５ｃを貫通した状態で橋脚横梁１に埋設されたボルトを示し、符号１７は、該ボルト１６に螺合されたナットを示す。また、図１０(a)
の符号２３は、高さを揃えるために配置されたスペーサとしてのナットを示す。
（第４の形態）
【００４８】
次に、図１１及び図１２に沿って、本発明の第４の形態について説明する。
【００４９】
この第４の形態においては、図１１に示すように、略矩形状断面の橋脚横梁１の一の側面１ｂには鋼製ブラケット（以下、必要に応じて“一の鋼製ブラケット”と称する）３Ｂが取り付けられ、他の側面１ｄには別の鋼製ブラケット（以下、必要に応じて“他の鋼製ブラケット”と称する）３Ｄが取り付けられている。これらの鋼製ブラケット３Ｂ，３Ｄは、図１等に示した鋼製ブラケットと同様の形状をしている。すなわち、橋脚横梁１の表面に沿うように配置された平板３０と、略水平な上板３１及び下板３２とを有しており、それらの上板３１と下板３２との間には平板３０に略垂直な部材（垂直板）３３が複数並設されている。
【００５０】
そして、本形態に係る橋脚横梁の補強構造は、第３の形態と同様の構造の第１強化繊維シート１５を備えている。すなわち、この第１強化繊維シート１５は、
・  前記一の側面１ｂの一部であって前記一の鋼製ブラケット３Ｂの下方に位置する一の側面部分、
・  前記横梁１の下面１ｃの一部であって前記一の側面部分に連続するところの下面部分、
・  前記他の側面１ｄの一部であって前記他の鋼製ブラケット３Ｄの下方に位置する他の側面部分
に亘って略Ｕ字状に貼付されている。この第１強化繊維シート１５の上端部分（図９に符号１５ａで示す部分であって、一の鋼製ブラケット３Ｂに近接する端縁部分、及び他の鋼製ブラケット３Ｄに近接する端縁部分の少なくとも一方、又は両方）は、板状部材１８を挟み込むように折り曲げられており、該折り曲げ部１５ａには、前記第１強化繊維シート１５及び板状部材１８を貫通する貫通孔１５ｃが２つ形成されている（図９には１つのみ示す）。
【００５１】
上述の鋼製ブラケット３Ｂの下板３２の下面には中間板材３３が配置されており、その下面及び前記折り曲げ部１５ａの表面に沿うように、断面が略Ｌ字状の第２押え部材３４が配置されている。そして、該第２押え部材３４が前記橋脚横梁１の側面１ｂとの間に前記折り曲げ部１５aを挟持すると共に前記板状部材３２に固定されるように、該第２押え部材３４を第２押え用固定部材（例えば、符号３６，３８で示すボルトや、符号３７，３９で示すナット）にて前記側面及び前記板状部材３２に固定している。なお、２本のボルト３６は、上述の２つの貫通孔１５ｃに挿通されている。他方の鋼製ブラケット３Ｄについても同様の構造で第１強化繊維シート１５を固定すると良い。ところで、上述の第２押え部材３４による固定は、下端部分に略水平な板状部材を有している鋼製ブラケットであれば可能であって、図１１に示す構造の鋼製ブラケット３Ｂ，３Ｄ（つまり、平板３０や上板３１や垂直板３３を有する構造のブラケット）に限定されるものでは無い。
【００５２】
次に、橋脚を補強する方法について説明する。
(1)   第３の形態と同様の方法で、図９に示す強化繊維シート片１５Ｂ，１５Ｄを作製する。すなわち、まず、２枚の強化繊維シート片１５Ｂ，１５Ｄの上端部分を、前記板状部材１８を挟み込んだ状態に折り曲げ、その折り曲げ部以外１５ｂに樹脂が含浸されないような状態で、該折り曲げ部１５ａに樹脂を含浸させ、樹脂が固まった段階で、前記板状部材１８を貫通する貫通孔１５ｃを該折り曲げ部１５ａに穿設する。
(2)   次に、各折り曲げ部１５ａを、上述の第２押え部材３４や第２押え用固定部材３６，３７，３８，３９により図１２に示すように固定する。このとき、折り曲げ部以外の部分１５ｂは含浸されていないので、垂れ下がった状態となる。
(3)   図１１に示すように、それら２つの強化繊維シート片１５Ｂ，１５Ｄが前記橋脚横梁１の下面１ｃに回り込んで重なり合った状態で、それらのシート片１５Ｂ，１５Ｄに樹脂を含浸させる。
（第５の形態）
【００５３】
次に、図１３に沿って、本発明の第５の形態について説明する。
【００５４】
本形態においては、鋼製ブラケットは第４の形態と同様の構造であって、同様の位置に配置されているので、該鋼製ブラケット３Ｂ，３Ｄについての重複説明は省略する。なお、第３の形態においても述べたように、鋼製ブラケットは、下端部分に略水平な板状部材を有している鋼製ブラケットであれば十分であり、図１１に示す構造の鋼製ブラケット３Ｂ，３Ｄ（つまり、平板３０や上板３１や垂直板３３を有する構造のブラケット）に限定されるものでは無い。
【００５５】
そして、強化繊維シート（第６強化繊維シート）３５が、
・  前記一の鋼製ブラケット３Ｂの板状部材３２の下面、
・  前記一の側面１ｂの一部であって前記一の鋼製ブラケット３Ｂの下方に位置する一の側面部分、
・  前記横梁１の下面１ｃの一部であって前記一の側面部分に連続するところの下面部分、
・  前記他の側面１ｄの一部であって前記他の鋼製ブラケット３Ｄの下方に位置する他の側面部分
・  前記他の鋼製ブラケット３Ｄの板状部材３２の下面
に亘って略Ｕ字状に貼付されている。なお、この第６強化繊維シート３５には、上述の折り曲げ部１５ａに相当する部分は形成されていない。そして、前記一の鋼製ブラケット３Ｂの板状部材３２の下面及び前記一の側面部分に前記第６強化繊維シート３５を押え付けるように、断面が略Ｌ字形の第２押え部材３４を配置し、該第２押え部材３４を第２押え用固定部材（例えば、符号３６，３８で示すボルトや、符号３７，３９で示すナット）によって固定した。また、前記他の鋼製ブラケット３Ｄの側も同様とし（不図示）、板状部材３２の下面及び前記一の側面部分に前記第６強化繊維シート３５を押え付けるように、断面が略Ｌ字形の第２押え部材３４を配置し、該第２押え部材３４を第２押え用固定部材（例えば、符号３６，３８で示すボルトや、符号３７，３９で示すナット）によって固定した。
【図面の簡単な説明】
【００５６】
【図１】図１は、本発明に係る橋脚横梁の補強構造の一例を示す斜視図である。
【図２】図２は、その橋脚横梁の全体構成の一例を示す側面図である。
【図３】図３は、本発明に係る橋脚横梁の補強構造の他の例を示す斜視図である。
【図４】図４は、本発明に係る橋脚横梁の補強構造のさらに他の例を示す斜視図である。
【図５】図５は、橋脚横梁の補強構造の従来例を説明するための側面図である。
【図６】図６は、図５のＥ−Ｅ端面図である。
【図７】図７は、図５のＦ−Ｆ端面図である。
【図８】図８(a) は、本発明に係る橋脚横梁の補強方法の一例であって強化繊維シートを貼り付ける前の状態を示す断面図であり、図８(b)は、該強化繊維シートを貼り付けた後の状態を示す断面図である。
【図９】図９は、第１強化繊維シートの構造の一例を示す断面図である。
【図１０】図１０(a) は、本発明に係る橋脚横梁の補強方法の一例であって第１押え部材を配置する前の状態を示す断面図であり、図１０(b)は、第１押え部材を配置した後の状態を示す断面図である。
【図１１】図１１は、本発明に係る橋脚横梁の補強構造の一例を示す断面図である。
【図１２】図１２は、鋼製ブラケットへ強化繊維シートが固定される構造の一例を示す詳細断面図である。
【図１３】図１３は、鋼製ブラケットへ強化繊維シートが固定される構造の他の例を示す詳細断面図である。
【符号の説明】
【００５７】
１            橋脚横梁
１ａ          上面
１ｂ          一の側面
１ｃ          下面
１ｄ          他の側面
２            支承
３Ｂ          一の鋼製ブラケット
３Ｄ          他の鋼製ブラケット
５            第１強化繊維シート
６            第２強化繊維シート
７            付勢部材
８            第３強化繊維シート
９            第４強化繊維シート
１３Ｂ        一の鋼製ブラケット
１３Ｄ        他の鋼製ブラケット
１５          第１強化繊維シート
１５Ｂ        強化繊維シート片
１５Ｄ        強化繊維シート片
１５ａ        折り曲げ部
１５ｃ        貫通孔
１６          固定部材（第１押え用固定部材）
１７          ナット（第１押え用固定部材）
１８          板状部材
２０          第１押え部材
２１          ボルト（第１押え用固定部材）
２２          ナット（第１押え用固定部材）
３２          板状部材
３４          第２押え部材
３５          第６強化繊維シート
３６          ボルト（第２押え用固定部材）
３７          ナット（第２押え用固定部材）
３８          ボルト（第２押え用固定部材）
３９          ナット（第２押え用固定部材）
Ｍ            長手方向中心軸
【図１】
2008069624.tif 000003
【図２】
2008069624.tif 000004
【図３】
2008069624.tif 000005
【図４】
2008069624.tif 000006
【図５】
2008069624.tif 000007
【図６】
2008069624.tif 000008
【図７】
2008069624.tif 000009
【図８】
2008069624.tif 000010
【図９】
2008069624.tif 000011
【図１０】
2008069624.tif 000012
【図１１】
2008069624.tif 000013
【図１２】
2008069624.tif 000014
【図１３】
2008069624.tif 000015